(57)【要約】      （修正有）【課題】歩留まりを向上させ得る光ピックアップ、光ディスク装置、及びその固定方法を提供する。【解決手段】光ピックアップに、発光素子が固定された光学ベース２と、発光素子から発射されたレーザ光の光ディスクにおける反射光を受光して光電変換する受光素子と、受光素子を所定状態に保持し、光学ベース２の所定位置に光硬化性接着剤７により固着されるホルダ５と、光学ベース２の一面側に、光硬化性接着剤７を覆うように取り付けられるフレキシブルプリント基板３とを設け、フレキシブルプリント基板３における光硬化性接着剤７との対向位置に第１の開口部３１を形成するようにした。【選択図】図５
2011070734.tif 000002
【特許請求の範囲】
【請求項１】
発光素子が固定された光学ベースと、
前記発光素子から発射されたレーザ光の光ディスクにおける反射光を受光して光電変換する受光素子と、
前記受光素子を所定状態に保持し、前記光学ベースの所定位置に光硬化性接着剤により固着されるホルダと、
前記光学ベースの一面側に、前記光硬化性接着剤を覆うように取り付けられるフレキシブルプリント基板と
を備え、
前記フレキシブルプリント基板における前記光硬化性接着剤との対向位置に第１の開口部が形成された
ことを特徴とする光ピックアップ。
【請求項２】
前記フレキシブルプリント基板を介して前記光学ベースの一面側に取り付けられるカバーを備え、
前記カバーにおける前記フレキシブルプリント基板の前記第１の開口部との対向位置に、当該第１の開口部と連通する第２の開口部が形成された
ことを特徴とする請求項１に記載の光ピックアップ。
【請求項３】
前記フレキシブルプリント基板は、
前記第１の開口部の外縁を取り囲むようにパターンが形成された第１の配線を備える
ことを特徴とする請求項１に記載の光ピックアップ。
【請求項４】
前記第１の配線は、
グランド接続された配線である
ことを特徴とする請求項１に記載の光ピックアップ。
【請求項５】
前記フレキシブルプリント基板は、
入出力用の一対の配線が、前記第１の配線に対して当該フレキシブルプリント基板の幅方向の同じ側に隣接して形成される
ことを特徴とする請求項３に記載の光ピックアップ。
【請求項６】
光ディスクに対して光学的にデータの書き込み及び又は読み出し行う光ピックアップを有する光ディスク装置において、
前記光ピックアップは、
発光素子が固定された光学ベースと、
前記発光素子から発射されたレーザ光の光ディスクにおける反射光を受光して光電変換する受光素子と、
前記受光素子を所定状態に保持し、前記光学ベースの所定位置に光硬化性接着剤により固着されるホルダと、
前記光学ベースの一面側に、前記光硬化性接着剤を覆うように取り付けられるフレキシブルプリント基板と
を備え、
前記フレキシブルプリント基板における前記光硬化性接着剤との対向位置に第１の開口部が形成された
ことを特徴とする光ディスク装置。
【発明の詳細な説明】
【技術分野】
【０００１】
本発明は、光ピックアップ及び光ディスク装置に関し、特に、レーザダイオード等の光学系が配設された光学ベースに対して、フォトダイオードを紫外線硬化性接着剤により固着するようにして製造される光ピックアップに適用して好適なものである。
【背景技術】
【０００２】
従来、この種の光ピックアップにおいては、フォトダイオードが実装されたプリント配線基板をホルダにより保持し、このホルダを紫外線硬化性接着剤により光学ベースの側壁面に固着するようにして製造される。そしてホルダを光学ベースの側壁面に固着するに際しては、紫外線硬化性接着剤に対して光学ベースの上方及び下方の両方向から紫外線を照射するのが望ましい。
【０００３】
また、従来、光ディスク装置においては、光ピックアップと、信号処理回路などが形成されたメイン基板とがフレキシブルプリント基板（Flexible Printed Circuits：以下、ＦＰＣ）を介して接続されている。この場合、ＦＰＣは、プリント配線基板と接続される一端側が、例えば光学ベースの上面に固定される。
【先行技術文献】
【特許文献】
【０００４】
【特許文献１】特開２００５−３１７１３２号公報
【発明の概要】
【発明が解決しようとする課題】
【０００５】
ところで、近年、ＣＤ（Compact Disc）規格、ＤＶＤ（Digital Versatile Disk）規格及びＢＤ（Blu-ray Disc）規格のライト・リード機能に対応するためにＦＰＣに形成される配線数が増えてきており、ＦＰＣの幅が大きくなる傾向にある。
【０００６】
ところが、上述のようにフォトダイオードを保持するホルダを光学ベースの側壁面に固着するようにして製造され、かつ、ＦＰＣの端部が光学ベースの上面に固定される構造を有する光ピックアップにおいて、ＦＰＣの幅が大きくなり過ぎると、ＦＰＣの一部が光学ベースにおけるホルダの固着位置にまではみ出してしまい、このＦＰＣの存在により、紫外線硬化性接着剤に光ピックアップの上方から紫外線を照射することができなくなる問題があった。
【０００７】
このような場合、紫外線硬化性接着剤に対して照射方向を工夫することになるが、一般的に紫外線硬化性接着剤の未硬化部が起因してフォトダイオードに位置ずれが発生し、性能変化する問題があった。
【０００８】
かかる問題を解決するための方法として、例えば特許文献１にはＦＰＣを光ピックアップの幅方向の中央位置に配置する方法が開示されている。しかしながらこの方法によると、ＦＰＣが、光ディスク装置の化粧板と擦れて損傷したり、化粧板からはみ出して光ディスクと接触する問題があった。
【０００９】
本発明は以上の点を考慮してなされたもので、フレキシブルプリント基板に損傷を生じさせることなく歩留まりを向上させ得る光ピックアップ及び光ディスク装置を提案しようとするものである。
【課題を解決するための手段】
【００１０】
かかる課題を解決するため本発明においては、光ピックアップにおいて、発光素子が固定された光学ベースと、前記発光素子から発射されたレーザ光の光ディスクにおける反射光を受光して光電変換する受光素子と、前記受光素子を所定状態に保持し、前記光学ベースの所定位置に光硬化性接着剤により固着されるホルダと、前記光学ベースの一面側に、前記光硬化性接着剤を覆うように取り付けられるフレキシブルプリント基板とを設け、前記フレキシブルプリント基板における前記光硬化性接着剤との対向位置に第１の開口部を形成するようにした。
【００１１】
また、本発明においては、光ディスクに対して光学的にデータの書き込み及び又は読み出し行う光ピックアップを有する光ディスク装置において、前記光ピックアップに、発光素子が固定された光学ベースと、前記発光素子から発射されたレーザ光の光ディスクにおける反射光を受光して光電変換する受光素子と、前記受光素子を所定状態に保持し、前記光学ベースの所定位置に光硬化性接着剤により固着されるホルダと、前記光学ベースの一面側に、前記光硬化性接着剤を覆うように取り付けられるフレキシブルプリント基板とを設け、前記フレキシブルプリント基板における前記光硬化性接着剤との対向位置に第１の開口部を形成するようにした。
【発明の効果】
【００１２】
本発明によれば、歩留まりを向上させ得る光ピックアップ、光ディスク装置、その固定方法を実現できる。
【図面の簡単な説明】
【００１３】
【図１】本実施の形態による光ピックアップの構成を示す斜視図である。
【図２】本実施の形態による光ピックアップの構成を示す分解斜視図である。
【図３】本実施の形態による光ピックアップの構成を示す上面図である。
【図４】ホルダと光学ベースとの固着状態を説明するための模式図である。
【図５】ホルダと光学ベースとを固着する紫外線硬化性接着剤に紫外線を照射するときの模式図である。
【図６】ＦＰＣの部分図である。
【図７】光ディスク装置における光ピックアップの配置を説明するための上面図である。
【符号の説明】
【００１４】
１……光ピックアップ、２……光学ベース、３……ＦＰＣ、４……カバー、５……ホルダ、６……プリント配線基板、７，８……紫外線硬化性接着剤、９……シャーシ、１０……スピンドルモータ、１１……開口、３１，３２……開口部、３３〜３５……配線、４１，４２……開口部、５１……貫通孔、６１……フォトダイオード。
【発明を実施するための形態】
【００１５】
以下、図面について本発明の実施の形態を詳述する。
【００１６】
（１）本実施の形態による光ピックアップの構成
図１〜図３において、１は全体として本実施の形態による光ピックアップを示す。この光ピックアップ１は、レーザダイオードが固定された光学ベース２の上面側にＦＰＣ３及びカバー４が固定されると共に、当該光学ベース２における矢印Ｘ方向の側壁面に、フォトダイオード６１（図４）が実装されたプリント配線基板６を固定保持するホルダ５が紫外線硬化性接着剤７，８を用いて固着されることにより構成されている。
【００１７】
光学ベース２には、レーザダイオードから発射されたレーザ光を光ディスクの記録面上に集光し、その光ディスクにおける反射光をプリント配線基板６のフォトダイオード６１に導く光学系と、当該光学系に含まれる対物レンズを光ディスクの厚み方向に駆動する対物レンズ駆動系となどがそれぞれ所定位置に配設されている。
【００１８】
ＦＰＣ３は、帯状のポリイミドフィルムの一面側又は両面側に、当該ポリイミドフィルムの長手方向に沿って複数の配線パターンが１層又は複数層に亘って形成されることにより構成されている。そしてＦＰＣ３は、その長手方向の一端部が、光学ベース２の上面における矢印Ｘ方向の端部に固定されている。
【００１９】
このＦＰＣ３は、上述の対物レンズ駆動系、レーザダイオード及びプリント配線板６と電気的に接続されており、対応する配線を介して対物レンズ駆動系及びレーザダイオードに対して電源電力を供給したり、プリント配線基板６に実装されたフォトダイオードの出力を外部に伝送し得るようになされている。
【００２０】
カバー４は、粉塵等が光学ベース２の内部に入り込むのを防止するためのものであり、金属材を用いて形成され、光学ベース２の上面を覆うように光学ベース２の上面に固定されている。またカバー４は、ＦＰＣ３の光学ベース上に位置する部分全体を覆うようにその形状が選定されており、これによりカバー４と光学ベース２とでＦＰＣ３を挟み込むことによって、ＦＰＣ３が捲れ上がるのを防止し得るようになされている。
【００２１】
ホルダ５は、プリント配線基板６を所定状態に固定保持するために用いられ、紫外線硬化性接着剤７，８を用いて光学ベース２の矢印Ｘ方向の側面に固着される。このホルダ５には、図４に示すように、その長手方向及び幅方向の中央部に所定大きさの貫通孔５１が設けられており、レーザダイオードから発射されたレーザ光の光ディスクにおける反射光がこの貫通孔５１を通過して、プリント配線基板６に入射できるようになされている。
【００２２】
プリント配線基板６は、図４に示すように、その長手方向及び幅方向の中央部にフォトダイオード６１が実装されている。このフォトダイオード６１は、ホルダ５の貫通孔５１を介して入射する光ディスクからの反射光を光電変換し、かくして得られた受光信号を、ＦＰＣ３を介して信号処理回路等が形成されたメイン基板（図示せず）に送信する。
【００２３】
紫外線硬化性接着剤７，８は、光学ベース２とホルダ５とを固着する接着剤であり、ディスペンサにより光学ベース２及びホルダ５間の所定位置に供給され、紫外線を照射することにより硬化される。
【００２４】
かかる構成に加えて本実施の形態の場合、図３及び図４に示すように、ＦＰＣ３における紫外線硬化性接着剤７，８との対向位置には開口部３１，３２が設けられると共に、カバー４におけるＦＰＣ３の各開口部３１，３２との対向位置にも、これら開口部３１，３２と連通するように開口部４１，４２がそれぞれ設けられている。
【００２５】
これによりこの光ピックアップ１においては、紫外線硬化性接着剤７，８の硬化処理時に、ＦＰＣ３及びカバー４に遮られることなく、カバー４の各開口部４１，４２及びＦＰＣ３の各開口部３１，３２を順次介して紫外線を紫外線硬化性接着剤７，８に照射することができるようになされている。
【００２６】
またＦＰＣ３には、例えば図６に示すように、各開口部３１，３２の外縁を取り囲むように配線３３が形成されており、これによりこの配線３３により各開口部３１，３２を物理的に強化することができるようになされている。
【００２７】
なお本実施の形態の場合、かかる配線３３としては、グランドに接続されるグランドラインが適用されている。これによりＦＰＣ３においては、例えばカバー４との摩擦によりＦＰＣ３に損傷が発生し、かかる配線３３とカバー４とが電気的に接触した場合においてもショートが発生するのを未然に防止し得るようになされている。
【００２８】
また本実施の形態の場合、ＦＰＣ３に形成される、例えば信号入出力用などの一対の配線３４，３５については、かかる配線３３に対してＦＰＣ３の幅方向の同じ側に隣接して配置されている。これにより本実施の形態においては、入出力用の一対の配線３４，３５間においてインピーダンスの違いが発生するのを未然に防止し得るようになされている。
【００２９】
（２）光ディスク装置への実装例
図７は、かかる本実施の形態による光ピックアップ１が搭載された光ディスク装置のトレイの一部構成を示す。この図７からも明らかなように、かかる光ディスク装置は、光ピックアップ１と、シャーシ９と、ターンテーブル１０とを備える。
【００３０】
シャーシ９には開口１１が設けられており、光ディスクに対してこの開口１１を介してレーザ光を照射し得るように、かつ、図示しないスレッドモータにより矢印ａの方向に自在に移動し得るように光ピックアップ１が配置される。
【００３１】
この場合において、本実施の形態による光ピックアップ１においては、上述のようにＦＰＣ３が光学ベース２の幅方向の端部に配置されているため、かかるシャーシ９の開口１１を介して外部に露出することがなく、従って、かかるＦＰＣ３が光ディスクと接触することはない。
【００３２】
（３）本実施の形態の効果
以上の構成において、本実施の形態の光ピックアップ１は、紫外線硬化性接着剤７，８の硬化処理時、光学ベース２の下方からのみならず、光学ベース２の上方からもカバー４の開口部４１，４２及びＦＰＣ３の開口部３１，３２を順次介して紫外線硬化性接着剤７，８に対して紫外線を照射することができる。
【００３３】
従って、本光ピックアップ１によれば、紫外線硬化性接着剤７，８の上方部分及び下方部分を均等に硬化させることができるため、紫外線硬化性接着剤７，８の硬化処理後に当該紫外線硬化性接着剤７，８に未硬化部分が残ることに起因して発生するフォトダイオード６１の位置ずれを未然に防止することができる。かくするにつき本光ピックアップ１によれば、歩留まりを向上させることができる。
【００３４】
（４）他の実施の形態
なお上述の実施の形態においては、本発明を、接着剤として紫外線硬化性接着剤を使用する光ピックアップに適用する場合について述べたが、本発明はこれに限らず、紫外線以外の光によって硬化する特性を有する接着剤を使用する光ピックアップにも広く適用することができる。
【００３５】
また上述の実施の形態においては、発光素子としてレーザダイオードを適用し、受光素子としてフォトダイオードを適用するようにした場合について述べたが、本発明はこれに限らず、発光素子及び受光素子としては、これらレーザダイオードやフォトダイオード以外の部材を広く適用することができる。
【産業上の利用可能性】
【００３６】
本発明は、ＢＤ規格、ＤＶＤ規格、ＣＤ規格又はそれ以外の規格に準拠した光ピックアップに適用することができる。
【図１】
2011070734.tif 000003
【図２】
2011070734.tif 000004
【図３】
2011070734.tif 000005
【図４】
2011070734.tif 000006
【図５】
2011070734.tif 000007
【図６】
2011070734.tif 000008
【図７】
2011070734.tif 000009